(57)【要約】【課題】正しい展示姿勢を安定して保持するマネキンの手首連結構造を提供する。【解決手段】マネキンの手部８と腕部９とを連結分離自在に連結する手首連結構造に於て、手部８と腕部９が相互に当接して連結される接続面１０，１０の内の一方には、ラジアル方向に単数の係止短杆１１を突設した短寸の軸部１を有する雄金具６を固設し、他方には、係止短杆１１を突設した軸部１を挿入する貫孔２を有する雌板片７を固設し、しかも、貫孔２の円周一箇所にスリット１２が形成され、スリット１２の１８０°対称位置の裏面側に、略ラジアル方向の一対の低突隆部をもって、係止短杆１１が係合するための係止凹部３を形成している。【選択図】図２
0003165550.tif 000002
【実用新案登録請求の範囲】
【請求項１】
マネキン（Ｍ）の手部（８）と腕部（９）とを連結分離自在に連結する手首連結構造に於て、
上記手部（８）と上記腕部（９）が相互に当接して連結される接続面（１０）（１０）の内の一方には、ラジアル方向に単数の係止短杆（１１）を突設した短寸の軸部（１）を有する雄金具（６）を固設し、他方には、上記係止短杆（１１）を突設した上記軸部（１）を挿入する貫孔（２）を有する雌板片（７）を固設し、
しかも、上記貫孔（２）の円周一箇所にスリット（１２）が形成され、該スリット（１２）の１８０°対称位置の裏面（２Ｂ）側に、略ラジアル方向の一対の低突隆部（４）（４）をもって、上記係止短杆（１１）が係合するための係止凹部（３）を形成したことを特徴とするマネキンの手首連結構造。
【請求項２】
上記軸部（１）は、上記係止短杆（１１）が上記低突隆部（４）を乗り越えようとする際に作用する押圧力（Ｎ）に対し、復元力（Ｆ）をもって対抗する弾発部材（５）により弾発付勢されている請求項１記載のマネキンの手首連結構造。
【考案の詳細な説明】
【技術分野】
【０００１】
本考案は、マネキンの手首連結構造に関する。
【背景技術】
【０００２】
従来、衣服を身につけて展示させるためのマネキンを、本体部と、末端の連結部品とに、分解できるようにしたマネキンの連結部構造が提案されている（特許文献１参照）。
【先行技術文献】
【特許文献】
【０００３】
【特許文献１】特開２００３−１１１６５３号公報
【考案の概要】
【考案が解決しようとする課題】
【０００４】
しかし、従来のマネキンの連結部構造は、手首の角度を正確に位置決めすることができないので、手の平が体の外側を向く等の人間らしくない不自然な状態で展示される虞れがあり、正常な展示姿勢を保持することができないという欠点があった。
また、マネキンを運搬する際の振動や展示中の衝撃により、嵌合孔に嵌め込んだ嵌合突起が回転してしまうと、連結部材としての手が本体部から不意に離脱してしまう虞れがあった。
【０００５】
そこで、本考案は、正しい展示姿勢を安定して保持するマネキンの手首連結構造を提供することを目的とする。
【課題を解決するための手段】
【０００６】
本考案に係るマネキンの手首連結構造は、マネキンの手部と腕部とを連結分離自在に連結する手首連結構造に於て、上記手部と上記腕部が相互に当接して連結される接続面の内の一方には、ラジアル方向に単数の係止短杆を突設した短寸の軸部を有する雄金具を固設し、他方には、上記係止短杆を突設した上記軸部を挿入する貫孔を有する雌板片を固設し、しかも、上記貫孔の円周一箇所にスリットが形成され、該スリットの１８０°対称位置の裏面側に、略ラジアル方向の一対の低突隆部をもって、上記係止短杆が係合するための係止凹部を形成したものである。
【０００７】
また、上記軸部は、上記係止短杆が上記低突隆部を乗り越えようとする際に作用する押圧力に対し、復元力をもって対抗する弾発部材により弾発付勢されているものである。
【考案の効果】
【０００８】
本考案のマネキンの手首連結構造によれば、手の平の向きを間違うことなく正常に展示することができる。また、運搬中や展示中でも、マネキンの手部が不意に外れることなく確実に保持できる。
【図面の簡単な説明】
【０００９】
【図１】本考案の適用箇所としてのマネキンの手首連結部を示した斜視図であり、（ａ）は連結状態を示す斜視図、（ｂ）は分離状態を示す斜視図である。
【図２】本考案の実施の一形態を示した斜視図である。
【図３】マネキンの手首連結構造を雌板片の裏面側から見た平面図である。
【図４】係止短杆と係止凹部との係合状態を示した要部拡大断面図である。
【図５】雄金具とその取着部位を示した断面図である。
【考案を実施するための形態】
【００１０】
以下、実施の形態を示す図面に基づき本考案を詳説する。
本考案は、マネキンの手首連結構造に係るものであり、図１（ａ）に示すように、マネキンＭの腕部９に手部８を連結した連結状態と、図１（ｂ）に示すように、マネキンＭの腕部９から手部８を分離した分離状態とを、選択可能として、マネキンＭの手首連結部Ｗを連結分離自在として構成するものである。
図２と図３に示すように、本考案は、マネキンの手首連結構造に於て、手部８と腕部９が相互に当接して連結される接続面１０，１０の内の一方には、ラジアル方向に単数の係止短杆１１を突設した短寸の（円形）軸部１を有する雄金具６を固設し、他方には、係止短杆１１を突設した（円形）軸部１を挿入する貫孔２を有する雌板片７を固設している。しかも、貫孔２の円周一箇所にスリット１２が形成され、スリット１２の１８０°対称位置の裏面２Ｂ側に、略ラジアル方向の一対の低突隆部４，４をもって、係止短杆１１が係合するための係止凹部３を形成している。
【００１１】
本考案のマネキンの手首連結構造は、連結状態下で、雌板片７の貫孔２に、係止短杆１１をスリット１２に通して軸部１が挿入され、係止短杆１１が雌板片７の裏面２Ｂ側に配設されている。そして、貫孔２に通した軸部１を１８０°回転させ、係止短杆１１を、スリット１２の１８０°対称位置に形成された係止凹部３に係合させ、低突隆部４，４をストッパーとして、軸部１の回転を規制するように構成されている。軸部１は、図中２点鎖線にて示す右廻り方向Ｒ及び左廻り方向Ｌのどちらに回転しても良く、係止短杆１１は、雌板片７の裏面２Ｂ側の低突隆部４，４を、左右どちら側からでも乗り越えることが可能である。
手部８は、係止短杆１１が係止凹部３に係合した状態で、例えば、手の平（掌）が胴体側に向くように（図１（ａ）参照）構成されている。手部８は、係止短杆１１と係止凹部３との係合によって軸部１の回転を規制され、かつ、貫孔２と軸部１との嵌合により腕部９に連結保持されている。こうして、マネキンＭが人間らしく見えるように手首連結部Ｗを自然な姿勢で保持している。
【００１２】
図４に示すように、雌板片７には、表て面２Ａ側を塑性加工（プレス加工）にて、（貫孔２の周縁部を押圧し、）押圧溝１３，１３を凹設し、その押圧溝１３，１３の裏面２Ｂ側に低突隆部４，４が形成されている。低突隆部４，４は、小高さ寸法ｇをもって雌板片７の裏面２Ｂから緩やかに隆起している。低突隆部４は、その上端面４Ａを乗り越えようとする係止短杆１１を押上げ、（回転する軸部１に対し）押圧力Ｎをもって干渉するように形成されている。
【００１３】
図５に示すように、（円形）軸部１は、係止短杆１１が低突隆部４を乗り越えようとする際に作用する押圧力Ｎに対し、復元力Ｆをもって対抗する弾発部材５により弾発付勢されている。
雄金具６は、軸部１を保持すると共に、接続面１０に固着される取付プレート１６を備えている。取付プレート１６は、その表て面１６Ａが接続面１０と同一平面状となるように嵌め込まれている。軸部１は、取付プレート１６の表て面１６Ａ側に突出するヘッド部１４と、取付プレート１６に貫設された枢着孔１６Ｂに挿通する首部１５と、首部１５の長手方向に連設された雄ねじ部１７とを、有している。
弾発部材５は、コイルバネから成り、軸部１の首部１５に同軸（巻設）状に取着され、雄ねじ部１７に螺着したナット１９によって、ワッシャ１８を介して締め付けられている。言い換えると、弾発部材５は、一端を、取付プレート１６の裏面１６Ｃに押し付け、他端を、ワッシャ１８に押し付け、ナット１９を介して軸部１の雄ねじ部１７に反発力を常時作用させており、軸部１のヘッド部１４を取付プレート１６の表て面１６Ａに押し付けるように弾発付勢している。
軸部１は、係止短杆１１が低突隆部４を乗り越えようとする際に作用する押圧力Ｎによって、弾発部材５の反発力に抗して取付プレート１６からヘッド部１４を離間し、係止短杆１１が低突隆部４を乗り越えた後は、弾発部材５の復元力Ｆをもって取付プレート１６にヘッド部１４を押し付けるように構成されている。
【００１４】
上述した本考案のマネキンの手首連結構造の使用方法（作用）について説明する。
図１（ｂ）に示すように、腕部９から手部８を分離した分離状態下で、マネキンＭに被覆を着用させる。腕部９に固設した雌板片７の貫孔２に、手部８に突設した軸部１を係止短杆１１がスリット１２を通るように挿入し、手部８を回転して、手部８と腕部９の接続面１０，１０を相互に摺接させ、マネキンＭの腕部９に手部８を嵌め込んで連結した連結状態とする。この際、手部８を右廻り・左廻りのどちらに回転させても良く、作業者が右利きであっても、左利きであっても容易に取り付けることができる。
【００１５】
図１（ａ）に示すように、手の平（掌）がマネキンＭの胴体側に向くように、手部８を（軸部１を）１８０°回転させて、係止短杆１１を係止凹部３に係合させる。低突隆部４，４は、軸部１の回転を規制し、手部８を正確に位置決めして、手の平が人間らしくない不自然な方向に向くのを防止する。
手部８は、作業者の手動操作によれば、係止短杆１１が容易に低突隆部４，４を乗り越えて、小さな力で回転させることができるが、マネキンＭに運搬中の振動や展示中の衝撃が加わった場合であっても、弾発部材５の復元力Ｆによって、係止短杆１１が係止凹部３との係合状態を保持し、手部８が不意に離脱して落下することなく腕部９に連結保持される。
【００１６】
以上のように、本考案に係るマネキンの手首連結構造は、マネキンＭの手部８と腕部９とを連結分離自在に連結する手首連結構造に於て、手部８と腕部９が相互に当接して連結される接続面１０，１０の内の一方には、ラジアル方向に単数の係止短杆１１を突設した短寸の軸部１を有する雄金具６を固設し、他方には、係止短杆１１を突設した軸部１を挿入する貫孔２を有する雌板片７を固設し、しかも、貫孔２の円周一箇所にスリット１２が形成され、スリット１２の１８０°対称位置の裏面２Ｂ側に、略ラジアル方向の一対の低突隆部４，４をもって、係止短杆１１が係合するための係止凹部３を形成したので、手の平の向きを間違うことなく正常に展示することができる。また、運搬中や展示中の振動によっても、マネキンＭの手部８が、腕部９から不意に外れることなく確実に連結保持できる。
【００１７】
また、軸部１は、係止短杆１１が低突隆部４を乗り越えようとする際に作用する押圧力Ｎに対し、復元力Ｆをもって対抗する弾発部材５により弾発付勢されているので、作業者の手動操作によらずに手部８が回転するのを抑制でき、運搬中の振動や展示中の衝撃によって手部８が不意に離脱して落下することを確実に防止できる。
【符号の説明】
【００１８】
１  軸部
２  貫孔
２Ｂ  裏面
３  係止凹部
４  低突隆部
５  弾発部材
６  雄金具
７  雌板片
８  手部
９  腕部
１０  接続面
１１  係止短杆
１２  スリット
Ｍ  マネキン
Ｎ  押圧力
Ｆ  復元力
【図１】
0003165550.tif 000003
【図２】
0003165550.tif 000004
【図３】
0003165550.tif 000005
【図４】
0003165550.tif 000006
【図５】
0003165550.tif 000007